(57)【特許請求の範囲】
【請求項１】
建物躯体の壁部の屋外側に外装材を装着すると共に建物躯体の壁部に固定した断面略Ｕ字状の端部カバー材を外装材の下端部に被嵌し、端部カバー材の底片に上方に切り起こした切り起こし片を設けることで底片に水抜き孔を形成すると共に切り起こし片の先端を外装材の下端面に当接して外装材の下端面を上記底片に対して浮かせ、上記端部カバー材の底片の長手方向に切り起こし片の切り起こしにて水抜き孔を形成する際、切り起こし片を切り起こす側を交互に逆になるようにして隣り合う切り起こし片が対峙するようにして成ることを特徴とする外装材の端部の仕舞い構造。
【請求項２】
底片に対して切り起こし片を切り起こすとき９０°より小さい角度で切り起こされたことを特徴とする請求項１記載の外装材の端部仕舞い構造。
【請求項３】
土台部分に土台水切り材を取り付け、土台水切り材に設けた立ち上げ片にて端部カバー材の底片を支持して成ることを特徴とする請求項１または請求項２に記載の外装材の端部仕舞い構造。
【請求項４】
上下に隣接する外装材の間に中間水切り材を取り付け、中間水切り材に設けた段部にて端部カバー材の底片を支持して成ることを特徴とする請求項１または請求項２に記載の外装材の端部仕舞い構造。
【発明の詳細な説明】
【０００１】
【発明の属する技術分野】
本発明は、建物躯体の壁部の外面側に外装材を貼ったときに外装材の端部を仕舞う構造に関するものである。
【０００２】
【従来の技術及び発明が解決しようとする課題】
従来、建物躯体の壁部の外面部には外装材１が貼られるが、上下に隣り合う外装材１の間には図６に示すように水切り材２′を介装するように装着してある。この水切り材２′は上縦片２ａ′と斜片２ｂ′と下縦片２ｃ′とで構成されており、上縦片２ａ′を壁部に固定してあり、斜片２ｂ′を上に位置するの外装材１の下端面と下に位置する外装材１の上端面との間に位置させてあり、下縦片２ｃ′で下に位置する外装材１の上部の外面を覆っている。ところが、かかる従来例では外装材１の上端は覆われるが、外装材１の下端は露出してしまうため外観が悪いという問題がある。
【０００３】
そこで、図７に示すように水切り材２′の上に端部カバー材３を配置して端部カバー材３を壁部に取り付け、外装材１の下端に端部カバー材３を被せて覆っている。このように外装材１の下端部に端部カバー材３を被嵌することで外装材１の下端を露出しないようにして外観をよくできるが、端部カバー３内に雨水が浸入するという新たな問題が生じる。端部カバー材３内に雨水が浸入すると、外装材１の下端を濡らしてしまい、裏に断熱材を裏打ちした外装材１の場合、断熱材を劣化させてしまうという問題がある。
【０００４】
そこで図８に示すように端部カバー材３の底片３ａに水抜き孔４を穿孔することで水を抜くようにすることも考えられるが、端部カバー材３を底片３ａに外装材１の下端が載るために水抜き孔４が塞がれてしまい水が抜けなく上記と同様の問題が生じる。
【０００５】
本発明は上記の点に鑑みてなされたものであり、外装材の下端を端部カバー材で覆って外観よくできると共に端部カバー材で外装材の下端を覆っても水を抜いて外装材の劣化を防止できる外装材の端部仕舞い構造を提供することを課題とする。
【０００６】
【課題を解決するための手段】
上記課題を解決するための本発明の請求項１の外装材の端部仕舞い構造は、建物躯体５の壁部６の屋外側に外装材１を装着すると共に建物躯体５の壁部６に固定した断面略Ｕ字状の端部カバー材３を外装材１の下端部に被嵌し、端部カバー材３の底片３ａに上方に切り起こした切り起こし片７を設けることで底片３ａに水抜き孔４を形成すると共に切り起こし片７の先端を外装材１の下端面に当接して外装材１の下端面を上記底片３ａに対して浮かせ、上記端部カバー材３の底片３ａの長手方向に切り起こし片７の切り起こしにて水抜き孔４を形成する際、切り起こし片７を切り起こす側を交互に逆になるようにして隣り合う切り起こし片７が対峙するようにして成ることを特徴とする。切り起こし片７にて外装材１の下端面を端部カバー材３の底片３ａに対して浮かせて支持することができ、従来のように水抜き孔４が塞がれることがなくなり、端部カバー材３内に入った雨水を水抜き孔４から確実に抜くことができて外装材１が劣化したりする弊害を確実に防止できる。また切り起こし片７を切り起こすことで水抜き孔４を形成しているために水を抜く部分と外装材１の下端面を浮かす部分とを同時に形成できる。また端部カバー材３の底片３ａの長手方向に切り起こし片７の切り起こしにて水抜き孔４を形成する際、切り起こし片７を切り起こす側を交互に逆になるようにして隣り合う切り起こし片７が対峙するようにすることにより、端部カバー材３内に浸入した雨水の流れを切り起こし片７が阻害することがなく、雨水が端部カバー材３内に留まることなくスムーズに排水され、また切り起こし片７で外装材１の下端面を支持するとき確実に支持することができる。
【０００８】
また本発明の請求項２の外装材の端部仕舞い構造は、請求項１において、底片３ａに対して切り起こし片７を切り起こすとき９０°より小さい角度で切り起こされたことを特徴とする。外装材１が裏面に断熱材１ａを裏打ちしたものでも切り起こし片７が断熱材１ａに食い込む弊害を防止できる。これにより外装材１を底片３ａに対して浮かして確実に支持できる。
【０００９】
また本発明の請求項３の外装材の端部仕舞い構造は、請求項１または請求項２において、土台８部分に土台水切り材９を取り付け、土台水切り材９に設けた立ち上げ片９ｄにて端部カバー材３の底片３ａを支持して成ることを特徴とする。土台水切り材９にて端部カバー材３を所定位置に位置決めして支持できる。
【００１０】
また本発明の請求項４の外装材の端部仕舞い構造は、請求項１または請求項２において、上下に隣接する外装材１の間に中間水切り材２を取り付け、中間水切り材２に設けた段部２ｄにて端部カバー材３の底片３ａを支持して成ることを特徴とする。中間水切り材２にて端部カバー材３の底片３ａを所定位置に位置決めして支持できる。
【００１１】
【発明の実施の形態】
建物躯体５には壁部６が設けられているが、本例の場合、壁部６は図１、図２に示すように既存の外壁であり、この既存の外壁の外面に改装により外装材１を新たに貼るものである。既存の外壁となる壁部６で８は土台、１２は既存の下地板、１３は既存の外装面部である。外装材１を貼る場合、既存の外装面部１３の適所に外装下地材１４が貼られる。外装材１は本例の場合、金属の表面材１ｂの裏面側に発泡合成樹脂のような断熱材１ａを裏打ちしたものである。
【００１２】
端部カバー材３は図３に示すように断面略Ｕ字状に形成されており、底片３ａと前片３ｂと背片３ｃとを有している。この端部カバー材３の底片３ａには切り起こし片７を上方に切り起こすことで水抜き孔４を形成してある。この水切り孔４及び切り起こし片７は端部カバー材３の長手方向に等間隔に設けられるが、隣り合う切り起こし片７では水切り孔４の逆の縁部から切り起こしてあり、隣り合う切り起こし片７では切り起こし片７が対峙するように設けてある。また切り起こし片７を切り起こすとき、底片３ａに対して９０°以下の角度になるように切り起こしてあり、本例の場合、略４５°の角度で傾斜している。
【００１３】
また中間水切り材２は図５に示すように形成されており、上縦片２ａと斜片２ｂと下縦片２ｃとで構成されており、上縦片２ａと斜片２ｂとの間には段部２ｄを設けてある。土台水切り材９は図４に示すように形成されており、上縦片９ａと斜片９ｂと下縦片９ｃとで構成されている。斜片９ｂの上縦片９ａ側から立ち上がり片９ｄを上方に連出してあり、斜片９ｂと上縦片９ａとの間の角部から水平に当接片９ｅを突設してある。
【００１４】
建物躯体５の壁部６の外面側に外装材１を貼る場合、下から順に外装材１が貼られる。土台８に対応する部分で外装下地材１４の外面側には土台水切り材９が配置され、当接片９ｅが外装下地材１４の下面に当接され、上縦片９ａから釘のような固着具１６を外装下地材１４に打入することで土台水切り材９が取着される。この土台水切り材９の上には端部カバー材３が配置され、背片３ｃから釘のような固着具１７を外装下地材９に打入することで端部カバー材３が取着される。端部カバー材３を取り付けるとき、端部カバー材３の底片３ａが土台水切り材９の立ち上がり片９ｄの上に乗せられて位置決め支持される。土台水切り材９の上に取り付けた端部カバー材３内には外装材１の下端部が嵌合され、外装材１の下端面が切り起こし片７の上に乗せられ、外装材１の下端面を底片３ａに対して浮かせるように支持される。このように外装材１の下端部を端部カバー材３に嵌合した状態で外装材１は外装下地材１４に別途固着手段で固着される。
【００１５】
外装材１の上端部上には中間水切り材２が配置され、中間水切り材２の上縦片２ａから釘のような固着具１６が打入されて中間水切り材２が固着され、中間水切り材２の下縦片２ｃにて外装材１の上部が覆われる。中間水切り材２の上には端部カバー材３が配置され、背片３ｃから釘のような固着具１７を外装下地材１４に打入することで端部カバー材３が取着される。端部カバー材３を取り付けるとき、端部カバー材３の底片３ａが中間水切り材２の段部２ｄの上に乗せられて位置決め支持される。中間水切り材２の上に取り付けた端部カバー材３内には外装材１の下端部が嵌合され、外装材１の下端面が切り起こし片７の上に乗せられ、外装材１の下端面を底片３ａに対して浮かせるように支持される。このように外装材１の下端部を端部カバー材３に嵌合した状態で外装材１は外装下地材１４に別途固着手段で固着される。このように中間水切り材２と端部カバー材３を用いて上下に隣り合う外装材１の端部間が仕舞われ、外装材１が下から順に上に取り付け施工される。
【００１６】
外装材１を施工したとき外装材１の下端部が端部カバー材３にて覆われるために外観よく仕舞うことができる。また端部カバー材３内に雨水が浸入するおそれがあるが、切り起こし片７にて外装材１の下端面を浮かせるように支持されるために水抜き孔４が塞がれることがなく、水抜き孔４からスムーズに排水される。これにより外装材１の断熱材１ａを濡らして劣化させるおそれがない。また隣り合う切り起こし片７では水切り孔４の逆の縁部から切り起こしてあり、隣り合う切り起こし片７では切り起こし片７が対峙するように設けてあるため、外装材１の下端面を安定よく支持でき、また端部カバー材３内に入った雨水が切り起こし片７にて流れが阻害されにくくなってスムーズに排水することができる。また切り起こし片７を切り起こすとき、底片３ａに対して９０°以下の角度になるように切り起こしてあるために切り起こし片７が外装材１に食い込みにくくて外装材１を浮かせて支持することができる。
【００１７】
【発明の効果】
本発明の請求項１の発明は、建物躯体の壁部の屋外側に外装材を装着すると共に建物躯体の壁部に固定した断面略Ｕ字状の端部カバー材を外装材の下端部に被嵌しているので、外装材の下端部を端部カバー材にて覆って外観よく仕舞うことができるのは勿論、端部カバー材の底片に上方に切り起こした切り起こし片を設けることで底片に水抜き孔を形成すると共に切り起こし片の先端を外装材の下端面に当接して外装材の下端面を上記底片に対して浮かせているので、従来のように水抜き孔が塞がれることがなくなり、端部カバー材内に入った雨水を水抜き孔から確実に抜くことができて外装材が劣化したりする弊害を確実に防止できるものであり、また切り起こし片を切り起こすことで水抜き孔を形成しているために水を抜く部分と外装材の下端面を浮かす部分とを同時に形成できるものである。また端部カバー材の底片の長手方向に切り起こし片の切り起こしにて水抜き孔を形成する際、切り起こし片を切り起こす側を交互に逆になるようにして隣り合う切り起こし片が対峙するようにしたので、端部カバー材内に浸入した雨水の流れを切り起こし片が阻害することがなく、雨水が端部カバー材内に留まることなくスムーズに排水されるものであり、また切り起こし片で外装材の下端面を支持するとき確実に支持することができるものである。
【００１９】
また本発明の請求項２の発明は、請求項１において、底片に対して切り起こし片を切り起こすとき９０°より小さい角度で切り起こされたので、外装材が裏面に断熱材を裏打ちしたものでも切り起こし片が断熱材に食い込む弊害を防止でき、これにより外装材を底片に対して浮かして確実に支持できるものである。
【００２０】
また本発明の請求項３の発明は、請求項１または請求項２において、土台部分に土台水切り材を取り付け、土台水切り材に設けた立ち上げ片にて端部カバー材の底片を支持しているので、土台水切り材にて端部カバー材を所定位置に位置決めして支持できるものである。
【００２１】
また本発明の請求項４の発明は、請求項１または請求項２において、上下に隣接する外装材の間に中間水切り材を取り付け、中間水切り材に設けた段部にて端部カバー材の底片を支持しているので、中間水切り材にて端部カバー材の底片を所定位置に位置決めして支持できるものである。
【図面の簡単な説明】
【図１】本発明の実施の形態の一例の土台部分の断面図である。
【図２】同上の中間部分の断面図である。
【図３】同上の端部カバー材を示し、（ａ）は正面から見た一部切欠断面図、（ｂ）は側面から見た断面図、（ｃ）（ｄ）は一部切欠平面図である。
【図４】同上の土台水切り材を示す側面図である。
【図５】同上の中間水切り材を示し、（ａ）は一部切欠正面図、（ｂ）は側面図である。
【図６】一従来例を示す概略断面図である。
【図７】他の従来例の概略断面図である。
【図８】（ａ）はさらに他の従来例の概略断面図、（ｂ）は端部カバー材の平面図である。
【符号の説明】
１  外装材
３  端部カバー材
３ａ  底片
４  水抜き孔
５  建物躯体
６  壁部
７  切り起こし片
８  土台
９  土台水切り材
【図１】
0003584820.tif 000002
【図２】
0003584820.tif 000003
【図３】
0003584820.tif 000004
【図４】
0003584820.tif 000005
【図５】
0003584820.tif 000006
【図６】
0003584820.tif 000007
【図７】
0003584820.tif 000008
【図８】
0003584820.tif 000009